(57)【要約】【課題】  携帯電話機において、簡単な操作で、複数人数の位置情報を一括して入手する。【解決手段】  グループ登録されている複数の携帯電話機間のＰＴＴ通話を仲介するサーバと、サーバにグループ登録され、ＰＴＴ機能を備えている複数の携帯電話機とを含むＰＴＴシステムであって、携帯電話機の少なくとも一つは、自機以外のグループに属する携帯電話機の位置を示す位置情報を、サーバに要求する要求手段と、サーバから位置情報を受信する受信手段と、受信手段で受信した位置情報の内容に基づく表示を行う表示手段とを備え、サーバは、複数の携帯電話機の識別子が登録されるグループを記憶する記憶手段と、一携帯電話機からの要求を受けて、当該一携帯電話機以外のグループに属する複数の携帯電話機の位置を示す位置情報を取得する取得手段と、取得した位置情報を要求を発した携帯電話機に送信する送信手段とを備える。【選択図】図７
2007110321.tif 000002
【特許請求の範囲】
【請求項１】
同一グループに属する複数の携帯電話機間のＰＴＴ（Push To Talk）通話を仲介するサーバと、前記サーバにグループとして登録され、ＰＴＴ機能を備えている複数の携帯電話機とを含むＰＴＴシステムであって、
前記携帯電話機の少なくとも一つは、
自機以外の前記グループに属する携帯電話機の位置を示す位置情報を、前記サーバに要求する要求手段と、
前記サーバから前記位置情報を受信する受信手段と、
前記受信手段で受信した前記位置情報の内容に基づく表示を行う表示手段とを備え、
前記サーバは、
グループとして登録されている複数の携帯電話機それぞれの識別子を記憶する記憶手段と、
一携帯電話機からの前記要求を受けて、当該一携帯電話機以外の前記グループに属する複数の携帯電話機の位置を示す位置情報を取得する取得手段と、
取得した位置情報を前記要求を発した携帯電話機に送信する送信手段とを備える
ことを特徴とするＰＴＴシステム。
【請求項２】
前記取得手段は、所定時間ごとに前記グループに属する複数の携帯電話機の位置を示す位置情報を各携帯電話機から受信して取得を繰り返し、
前記送信手段は、前記取得手段で位置情報を取得するごとに、当該位置情報を送信し、
前記表示手段は、前記受信手段で前記送信手段から位置情報を受信するごとに表示内容を更新する
ことを特徴とする請求項１記載のＰＴＴシステム。
【請求項３】
前記携帯電話機は更に、
地図を記憶している記憶手段を備え、
前記表示手段は、前記受信手段で受信した位置情報に基づく各携帯電話機の地図上での位置と、各携帯電話機の識別子とを対応させて表示する
ことを特徴とする請求項１記載のＰＴＴシステム。
【請求項４】
前記複数の携帯電話機それぞれは、
前記サーバからの位置情報の取得要求を受け付ける受付手段と、
前記受付手段で位置情報の取得要求を受け付けた場合に、ＧＰＳを利用して自機の位置情報を取得する位置情報取得手段と、
前記位置情報取得手段で取得した自機の位置情報を前記サーバに送信する送信手段とを備える
ことを特徴とする請求項１記載のＰＴＴシステム。
【請求項５】
前記複数の携帯電話機それぞれは、更に、
前記受付手段で位置情報の取得要求を受けた場合において、ユーザ指示に起因する所定条件が成立するときに限り、当該要求に対して位置情報の送信を行わない拒否手段を備える
ことを特徴とする請求項４記載のＰＴＴシステム。
【請求項６】
サーバにグループとして登録されている携帯電話機に対してＰＴＴ通話が可能な携帯電話機であって、
ＰＴＴ通話を仲介する前記サーバと通信する通信手段と、
前記サーバに、グループに属している携帯電話機の位置情報の取得を要求する要求手段と、
前記サーバから、前記位置情報を受信する受信手段と、
前記受信手段で受信した位置情報に基づく表示を行う表示手段とを備える
ことを特徴とする携帯電話機。
【請求項７】
前記携帯電話機は更に、
地図を記憶している記憶手段を備え、
前記表示手段は、前記受信手段で受信した位置情報に基づく各携帯電話機の位置を示す識別子と前記地図とが対応するように表示する
ことを特徴とする請求項６記載の携帯電話機。
【請求項８】
前記携帯電話機は更に、
前記サーバからの位置情報の取得要求を受け付ける受付手段と、
前記受付手段で位置情報の取得要求を受け付けた場合に、ＧＰＳを利用して自機の位置情報を取得する位置情報取得手段と、
前記位置情報取得手段で取得した自機の位置情報を前記サーバに送信する送信手段とを備える
ことを特徴とする請求項６記載の携帯電話機。
【請求項９】
前記携帯電話機は更に、
前記受付手段で位置情報の取得要求を受けた場合に、
当該要求に対して位置情報の送信を行わない拒否手段を備える
ことを特徴とする請求項６記載の携帯電話機。
【請求項１０】
同一グループに属する複数の携帯電話機間のＰＴＴ通話を仲介するＰＴＴサーバであって、
グループとして登録されている複数の携帯電話機それぞれの識別子を記憶する記憶手段と、
前記グループに登録されている一携帯電話機から、位置情報の取得の要求を受け付ける受付手段と、
前記受付手段で前記要求を受け付けた場合に、前記グループに登録されている携帯電話機から、前記グループに所属する複数の携帯電話機の位置情報を取得する取得手段と、
前記取得手段で取得した位置情報を前記一携帯電話機に送信する送信手段とを備える
ことを特徴とするＰＴＴサーバ。
【請求項１１】
前記取得手段は更に、
所定時間ごとに前記取得を行い、
前記送信手段は、前記取得手段で位置情報が取得されるごとに、新たに取得した位置情報を送信する
ことを特徴とする請求項９記載のＰＴＴサーバ。
【発明の詳細な説明】
【技術分野】
【０００１】
本発明は、ＰＴＴシステム及びＰＴＴシステムを構成する携帯電話機とＰＴＴサーバに関し、特にＰＴＴ通話を行うメンバの位置情報を取得する技術に関する。
【背景技術】
【０００２】
携帯電話機において、通信相手の位置情報を取得できる技術がある。これは、電話機に提供されるサービスの一つによって実行されるもので、通信相手が保持する携帯電話機がＧＰＳ（Global Positioning System）を利用して位置情報を取得したものを転送してもらうものである。
特許文献１には、ＴＶ電話中に通信相手の位置を表示する携帯電話機が開示されている。
【特許文献１】特開２００４−２２８８０５号公報
【発明の開示】
【発明が解決しようとする課題】
【０００３】
ところで、特許文献１に記されるような携帯電話機は、携帯電話機を保持しているユーザ一人の位置情報を取得するものである。複数人数の位置情報を取得したい場合、例えば、教師が受け持ちのクラスの児童が無事帰宅したかどうかを確認したい場合などには、一つ一つの位置情報を逐次取得するほかなく、その操作はユーザにとって煩雑なものとなる。また、それぞれ一回ずつ位置情報を要求することにより、人数が多い場合などにおいては多くの時間を要すると言う問題が発生することも考えられる。
【０００４】
そこで、本発明においては、一括して複数の携帯電話機の位置情報を取得できる携帯電話機を含むＰＴＴシステムを提供することを目的とする。
【課題を解決するための手段】
【０００５】
上記課題を解決するため、本発明のＰＴＴシステムは、同一グループに属する複数の携帯電話機間のＰＴＴ（Push To Talk）通話を仲介するサーバと、前記サーバにグループとして登録され、ＰＴＴ機能を備えている複数の携帯電話機とを含むＰＴＴシステムであって、前記携帯電話機の少なくとも一つは、自機以外の前記グループに属する携帯電話機の位置を示す位置情報を、前記サーバに要求する要求手段と、前記サーバから前記位置情報を受信する受信手段と、前記受信手段で受信した前記位置情報の内容に基づく表示を行う表示手段とを備え、前記サーバは、グループとして登録されている複数の携帯電話機それぞれの識別子を記憶する記憶手段と、一携帯電話機からの前記要求を受けて、当該一携帯電話機以外の前記グループに属する複数の携帯電話機の位置を示す位置情報を取得する取得手段と、取得した位置情報を前記要求を発した携帯電話機に送信する送信手段とを備えるを備えることを特徴としている。
【発明の効果】
【０００６】
上記のような構成によって、ＰＴＴシステムの中の一携帯電話機は、同一グループに属している携帯電話機の位置情報を一括して取得することができる。これによって、従来のように一つ一つの携帯電話機の位置情報を取得する必要がなく、その操作性の向上を促している。また、本システムを利用することで、例えば、担任教師が担当クラスの児童が無事に帰宅したかどうかを、その携帯電話の位置を見て推察することができる。
【０００７】
また、前記取得手段は、所定時間ごとに前記グループに属する複数の携帯電話機の位置を示す位置情報を各携帯電話機から受信して取得を繰り返し、前記送信手段は、前記取得手段で位置情報を取得するごとに、当該位置情報を送信し、前記表示手段は、前記受信手段で前記送信手段から位置情報を受信するごとに表示内容を更新することとしてよい。
これにより、携帯電話機は、周期的にグループの位置情報を取得するので、グループのメンバの現在位置を逐次表示データを更新しながら確認できる。また、少し時間が経過していて、グループのメンバの位置が移動していることも考えられる場合などにおいて、逐一取得要求の入力をしなくてもすむという利点がある。
【０００８】
また、前記携帯電話機は更に、地図を記憶している記憶手段を備え、前記表示手段は、前記受信手段で受信した位置情報に基づく各携帯電話機の地図上での位置と、各携帯電話機の識別子とを対応させて表示することとしてよい。
これにより、グループに属する携帯電話機の位置が地図と対応して表示され、ユーザは、各メンバの携帯電話機の位置を視覚的に容易に確認できるようになる。
【０００９】
また、ＰＴＴシステムにおいて、前記複数の携帯電話機それぞれは、前記サーバからの位置情報の取得要求を受け付ける受付手段と、前記受付手段で位置情報の取得要求を受け付けた場合に、ＧＰＳを利用して自機の位置情報を取得する位置情報取得手段と、前記位置情報取得手段で取得した自機の位置情報を前記サーバに送信する送信手段とを備えることとしてよい。
【００１０】
これにより、携帯電話機はＧＰＳを利用しての位置情報の取得が可能となる。この位置情報をサーバに送信することになり、正確な位置情報を得ることができ、携帯電話機上において、その表示を正確にすることができる。
また、前記複数の携帯電話機それぞれは、更に、前記受付手段で位置情報の取得要求を受けた場合において、ユーザ指示に起因する所定条件が成立するときに限り、当該要求に対して位置情報の送信を行わない拒否手段を備えることとしてよい。
【００１１】
ここでいう所定条件とは、携帯電話機のユーザが位置情報を送信したくない場合をいい、例えば、予め位置情報を送信しない設定になっている場合や、位置情報の要求に対して、送信の可否をユーザが決定できる場合において拒否する場合などがある。
これにより、携帯電話機において、位置情報を要求する取得要求がきても、拒否することができ、グループに登録されている携帯電話機のユーザがいちを知られたくない場合などにおいて、プライバシーの保護に役立てることができる。   
【発明を実施するための最良の形態】
【００１２】
以下、本発明の一実施形態であるＰＴＴシステム及びそれに係る携帯電話機とサーバについて図面を用いて説明する。
＜構成＞
まず、本発明に係るＰＴＴシステムについて説明する。
＜ＰＴＴシステムの構成＞
ＰＴＴシステムの説明に関しては、図１を用いて説明する。
【００１３】
図１に示すように本発明に係るＰＴＴシステムは、携帯電話機１００、１０１、１０２、１０３、１０４、１０５と、基地局１１０、１１１、１１２と、ＰＴＴサーバ１２０と、ネットワーク１３０とを含んで構成される。
なお、携帯電話機、基地局、ＰＴＴサーバは図１に示される個数に限定されるものではない。
【００１４】
携帯電話機１００〜１０５は、ＰＴＴ機能を備える携帯電話機であり、グループに登録されている自機以外の携帯電話機を保持する他のユーザとのＰＴＴ通話を実行する機能を有する。
基地局１１０〜１１２それぞれは、自己に定められたエリアを管轄しており、エリア内に存在する携帯電話機と無線接続して通信を行う機能を有する。
【００１５】
ＰＴＴサーバ１３０は、ＰＴＴ通話を要求してきた携帯電話機とその通信相手となる携帯電話機を管理する機能や、携帯電話機間のＰＴＴ通話を仲介する機能を有する。また、ＰＴＴ通話は予めＰＴＴサーバに登録されているグループに属する携帯電話機間で行われるが、そのグループを管理する機能も有する。
携帯電話機でＰＴＴ通話を行う場合には、携帯電話機は基地局と無線接続して、ＰＴＴ通話の要求を行う。ＰＴＴ通話要求を受けた基地局は、当該要求をＰＴＴサーバ１２０に送信する。ＰＴＴサーバ１２０は、携帯電話機が要求してきたグループの携帯電話機に対してＰＴＴコールを行う。ＰＴＴコールを受けてユーザがＰＴＴ通話を了承した場合に、携帯電話機間のＰＴＴ通話が成立する。ＰＴＴ通話の場合、ＰＴＴ通話を行うためのＰＴＴキーを押下している状態でマイクに録音された音声が、ＰＴＴサーバ１２０によって音声パケットになってＰＴＴ通話を実行している携帯電話機全てに送信される。なお、ＰＴＴ通話においてやり取りされるのは基本的に音声パケットであるが、パケットには音声以外の、コマンドやデータが含まれることもある。
【００１６】
本願の場合においては、グループに属する携帯電話機間でＰＴＴ通話で音声パケットをやり取りするのではなく、位置情報取得コマンドや位置情報を含んだパケットをやり取りする。
＜携帯電話機の構成＞
次に、携帯電話機の機能構成について説明する。
【００１７】
図２は、携帯電話機１００の機能構成を示したブロック図であり、本図を用いて携帯電話機の機能を説明する。図１において示した携帯電話機１０１〜１０５についても同様の構成を備えるものとする。
携帯電話機１００は、通信部２１０と、ＧＰＳ受信部２２０と、音声処理部２３０と、表示部２４０と、操作部２５０と、記憶部２６０と、制御部２７０とを含んで構成される。
【００１８】
通信部２１０は、アンテナ２１１を含んで構成され、アンテナ２１１から受け取った受信信号を受話音声信号及び受信データ信号に復調し、復調した受話音声信号を音声処理部２３０に、受信データ信号を制御部２７０に出力する機能を有する。また、音声処理部２３０からのＡ／Ｄ変換された送話音声信号、及び制御部２７０から与えられる電子メールなどの送信データ信号を変調し、アンテナ２１１から出力する機能を有する。
【００１９】
ＧＰＳ通信部２２０は、ＧＰＳ衛星と交信して、自機の位置情報を取得する機能を有しており、従来のＧＰＳシステムを利用して位置情報を取得する。ＧＰＳにおいては通常３つのＧＰＳ衛星と通信して電波の到達時間などを利用して位置情報を取得しているが、携帯電話機においては更に基地局との通信も利用して位置情報の取得を行うハイブリッド式で位置情報を取得する。
【００２０】
音声処理部２３０は、通信部２１０から出力された受話音声信号をＤ／Ａ変換してスピーカ２３２に出力すると共に、マイク２３１から取得した送話音声信号をＡ／Ｄ変換し、生成した信号を通信部２１０に出力する機能を有する。
表示部２４０は、ＬＣＤ（Liquid Crystal Display）などによって実現されるモニタで、制御部２７０の指示による画像を表示する機能を有し、例えば、待受け画面やメールの文書などを表示したりする。
【００２１】
操作部２５０は、テンキー、オンフックキー、オフフックキー、方向キー、決定キーなどの諸キー群を含み、ユーザの操作を受け付け、受け付けた操作内容を制御部２７０に伝達する機能を有する。また操作部２５０は特に、ＰＴＴキー２５１を含み、当該キーのユーザによる押下によって携帯電話機１００でのＰＴＴ通話における音声の送信が可能となる。
【００２２】
記憶部２６０は、ＲＯＭ（Read Only Memory）、ＲＡＭ（Random Access Memory）を含んで構成され、小型ハードディスクや不揮発性メモリなどによって実現され、各種様々なデータを記憶する機能を有する。また、本願においては特にＰＴＴシステムを利用して位置情報を取得する位置情報取得プログラム２６１を記憶している。
制御部２７０は、携帯電話機１００の各部を制御する機能を有する。また、本願においては特に、ユーザからの所定の入力を受けて、位置情報取得プログラム２６１を読み出して、そのプログラム内容を実行する。
＜ＰＴＴサーバの構成＞
図３は、ＰＴＴサーバ１２０の機能構成を示したブロック図であり、本図を用いてＰＴＴサーバ１２０の機能を説明する。
【００２３】
ＰＴＴサーバ１２０は、通信部３１０、制御部３２０、記憶部３３０を含んで構成される。
通信部３１０は、ネットワーク１３０と通信して、携帯電話機から送られてくる音声パケットを制御部３２０に伝達したり、制御部３２０の指令になる音声パケットを送信する機能を有する。
【００２４】
制御部３２０は、ＰＴＴサーバの各部を制御するものであり、携帯電話機間のＰＴＴ通話を制御する機能を有する。具体的には、一携帯電話機からの
ＰＴＴ通話の要求があった場合にグループに属する携帯電話機にＰＴＴコールを送信し、ＰＴＴ通話を確立する。また、位置情報の取得要求を受け付けた場合に、音声パケットに換えて、グループに属する携帯電話機の位置情報を取得して、位置情報の要求を発した携帯電話機に送信する。
【００２５】
記憶部３３０は、ハードディスク装置などで実現することができ、各種データを記憶する機能を有し、特にグループリスト３３１と位置情報取得プログラム３３２を記憶している。グループリスト３３１の内容に関しては後述する。
位置情報取得プログラム３３２には、携帯電話機から位置情報の取得要求を受け付けた場合に、制御部３２０が読み出し、グループに属する携帯電話機の位置情報を取得するために実行する処理が記述されている。
＜データ＞
ＰＴＴサーバが保持しているグループに関する情報をここで説明する。
【００２６】
図４は、ＰＴＴサーバが管理するグループリスト３３１の一例を示すグループリスト４００を示した。
グループリストとは、グループに含まれるメンバを示した表のことであり、このグループに登録されているメンバ間においてＰＴＴ通話が成立する。
同図に示すように、グループリスト４００は、グループナンバ４０１と、メンバナンバ４０２と、名前４０３と、電話番号４０４とを含む。
【００２７】
グループナンバ４０１は、ＰＴＴサーバ１２０が管理する複数のグループを識別するためのグループの番号である。ここでは２０としている。
メンバナンバ４０２は、そのグループに属しているメンバの番号を意味する。
名前４０３は、グループに属するメンバの名前を示す。
例えば、グループナンバ２０のメンバナンバ６番は、剣持圭介である。
【００２８】
そして電話番号４０４は、各メンバの有する携帯電話機の電話番号を示す。なお、ここでは電話番号は一律ＸＸＸ−ＸＸＸＸ−ＸＸＸＸと記したが、当然それぞれ異なる電話番号である。
図５は、携帯電話機１００がＰＴＴサーバ１２０から受け取る位置情報リスト５００を示している。
【００２９】
位置情報リスト５００は、位置情報グループナンバ５０１と、メンバナンバ５０２と、名前５０３と、位置情報５０４を含む。
位置情報グループナンバ５０１は、位置情報リスト５００がどのグループの位置情報であるかを示す。
メンバナンバ５０２は、グループに属するメンバの番号を示すものであり、グループリスト４００のメンバナンバ４０２にも対応する。
【００３０】
名前５０３は、グループに属するメンバの名前を示す。
また、位置情報５０４は、各メンバのそれぞれの位置を経緯度で表している。
例えばメンバナンバ４番の名前は小野寺雅紀になっており、彼の所持する携帯電話機の位置は、経度１３７．８７０、緯度３５．２２２になる。
携帯電話機１００は、この位置情報リストを受信して、ユーザに対して位置情報を表示できるようになる。
【００３１】
図６は、位置情報リスト５００を受け取った携帯電話機１００が、グループのメンバの位置を表示したディスプレイの画面図の一例を示している。
図６にあるように、グループに属するメンバが、メンバに対応する番号でその位置が示される。ここでは、メンバメニュー６００にあるように、メンバナンバ２番の飯塚健治が選択されており、その表示６０１が画面のほぼ中央に来るように、地図が表示される。
【００３２】
ここに示している地図は一部のもので、ユーザの方向キーの上下の入力により位置を知りたいメンバを変えて、その位置を見ることができる。このとき、メンバメニュー６００が別のメンバの番号と名前を表示することになる。例えば、図６に表示されている状態で「下」を入力すると、その表記は、「３番：江田修」になり、地図上で３番が画面中央になるように表示が変更される。
【００３３】
なお、地図の情報は予め携帯電話機１００の記憶部２６０に記録されていてもよいし、ＰＴＴサーバ１２０などの外部のサーバからその位置情報と共に受信してもよい。
＜動作＞  
携帯電話機１００とサーバ１２０及びその他のグループに属している携帯電話機の動作を示す。ここでは、グループに属する他の複数の携帯電話機のうちの１台の携帯電話機１０１のみを表すが、その他の携帯電話機も同様の動作を行うものとする。
【００３４】
図７は、本発明に係るＰＴＴシステム全体の動作を示したタイミングチャートである。
まず、携帯電話機１００は、ユーザからの位置情報の取得要求を示す入力受け付ける（ステップＳ７０１）。この入力内容にはどのグループの位置情報を取得するのかと言う情報も含まれる。位置情報の取得入力を受けた携帯電話機１００は、基地局に無線接続し、ネットワーク１３０を介してＰＴＴサーバに、グループに属する携帯電話機の位置情報の取得要求を送信する（ステップＳ７０３）。
【００３５】
位置情報の取得要求を受けたＰＴＴサーバは、どのグループの位置情報を取得したいかを読み取って、対応する、図４に示されるようなグループリストを読み出す（ステップＳ７０５）。そして読み出したグループリストに記述されている携帯電話機１０１に、位置情報の取得要求をＰＴＴ通話における音声パケットに換えてコマンドパケットとして送信する（ステップＳ７０７、Ｓ７０９）。
【００３６】
位置情報の取得要求を受けた携帯電話機１０１は、自機が備えるＧＰＳ通信部を介してＧＰＳ衛星と通信を行って、自己の位置情報を取得する（ステップＳ７１１）。そして自己の位置情報を取得した携帯電話機１０１は、音声パケットの代わりに位置情報を含んでパケットをＰＴＴサーバ１２０に送信する（ステップＳ７１３、Ｓ７１５）。
携帯電話機１０１から、位置情報を受け取ったＰＴＴサーバ１２０は、グループに属している携帯電話機１００以外の位置情報を、例えば図５に示すような位置情報リストのような一つのデータにして、携帯電話機１００に送信する（ステップＳ７１７、Ｓ７１９）。
【００３７】
ＰＴＴサーバ１２０から位置情報を取得した携帯電話機１００は、その位置情報を解析して、それぞれの携帯電話機を示す識別子の位置と地図とが対応するようにディスプレイ上に、例えば図６に示すように、表示する（ステップＳ７２１）。
以上が、ＰＴＴシステムにおける携帯電話機及びＰＴＴサーバの動作である。
＜補足＞
以上、本願発明に係るＰＴＴシステムとシステムに含まれる携帯電話機、ＰＴＴサーバについて説明してきたが、本願発明の実施の形態はこれに限定されるものではない。以下、その変形例について説明していく。
（１）上記実施の形態においては、グループに属する携帯電話機の位置情報は必ず取れるものとして記述したが、携帯電話機の位置によっては、通信圏外にあって位置情報の要求を行うＰＴＴコールを受信できなかったりすることがある。この場合においては、ＰＴＴサーバが位置情報を取得できなかったことを記憶しておき、圏外になっていた携帯電話機が通信圏内に入った時点で、取得命令を再度発行して位置情報を取得させ、後から追加して位置情報を送信することとしてもよい。
【００３８】
これにより、グループに属する携帯電話機が位置情報を最初に取得できなかった場合においても、最終的にはグループに属する全ての携帯電話機の位置情報を得ることができるようになる。
（２）上記実施の形態においては、位置情報は１回だけ入手するだけで終了していたが、所定時間ごと、例えば２分おきにサーバから位置情報を受信し、その都度地図と位置情報を更新して表示してもよい。
【００３９】
これにより、ユーザは、よりリアルタイムでグループメンバの位置を確認することができるようになる。
（３）上記実施の形態においては、位置情報の取得を要求した携帯電話機のみが位置情報を受信していたが、グループに属する全てのメンバの携帯電話機が、位置情報を受信できることとしてもよい。
（４）上記実施の形態においては、位置情報を要求された携帯電話機は必ず位置情報を送信することとしたが、これは携帯電話機において、位置情報を要求されても送信しないように設定できることとしてよい。また、位置情報の要求を拒絶することができる時間帯を設定できることとしても良い。あるいは、ＰＴＴコールとして位置情報の取得要求を受けた場合に、ユーザがその都度、位置情報を送信してよいかの認許可を出すようにしてもよい。例えば、会社の営業で外回りをやっている時間帯は位置情報の要求は受け、就業時間外は拒絶するというようにすることが考えられる。
【００４０】
位置情報の要求は時にプライバシーの侵害になることがあるが、こうすることでプライバシーの侵害を防ぐことができるようになる。
（５）上記実施の形態においては、携帯電話機はＧＰＳを利用して位置情報を取得していたが、ＧＰＳによって位置情報を取得できない場合でも、基地局と通信できている場合には、基地局の位置情報を携帯電話機の位置情報としてサーバに送信してもよい。基地局は基本的に自己の位置情報を保持しており、その位置情報をＰＴＴサーバに送信する。こうすることで、携帯電話機が３つ以上のＧＰＳ衛星と通信できずに位置情報を取得できない場合にも対応できるようになる。
【００４１】
また、近年の携帯電話機はＧＰＳ衛星との通信だけでなく、基地局との通信も利用したハイブリッド式のＧＰＳシステムを用いて位置情報を取得している。
（６）上記実施の形態においては、位置情報を要求している携帯電話機１００は位置情報を取得していないが、携帯電話機１００も位置情報を取得してＰＴＴサーバ１２０に送信してもよい。そしてグループに属する全ての携帯電話機の位置情報をＰＴＴサーバから一括して受信してもよい。
【００４２】
こうすることで、自機と他の携帯電話機との位置の比較が行いやすくなる。
（７）上記実施の形態においては、携帯電話機１００は位置情報を地図と対応させて表示したが、地図と対応させず例えばメンバの位置のおおよその住所をテキストで表示したりしてもよい。
（８）本願発明は、上記実施の形態における方法あるいは、当該方法をコンピュータに実行させるためのコンピュータプログラムであってもよい。また、当該コンピュータプログラムが記憶されたＲＯＭなどの記録媒体などであってもよい。
【産業上の利用可能性】
【００４３】
本発明に係る携帯電話機は、所定のグループメンバの位置を一括して知ることができる携帯電話機として活用することができる。
【図面の簡単な説明】
【００４４】
【図１】本発明に係るＰＴＴシステムの利用形態を示したシステム図である。
【図２】本発明に係る携帯電話機の機能構成を示したブロック図である。
【図３】本発明に係るアプリケーションサーバの機能構成を示したブロック図である。
【図４】グループリストの一例を示した表である。
【図５】携帯電話機が取得する位置情報を示した表である。
【図６】携帯電話機が取得した位置情報を元にディスプレイに表示する画面の一例を示した画面図である。
【図７】携帯電話機及びＰＴＴサーバ間のデータのやり取りを示したタイミングチャートである。
【符号の説明】
【００４５】
１００〜１０５  携帯電器
１１０〜１１２  基地局
１２０  ＰＴＴサーバ
１３０  ネットワーク
２１０  通信部
２１１  アンテナ
２２０  ＧＰＳ通信部
２２１  アンテナ
２３０  音声処理部
２３１  マイク
２３２  スピーカ
２４０  表示部
２５０  操作部
２５１  ＰＴＴキー
２６０  記憶部
２６１  位置情報取得プログラム
２７０  制御部
３１０  通信部
３２０  制御部
３３０  記憶部
３３１  グループリスト
３３２  位置情報取得プログラム
【図１】
2007110321.tif 000003
【図２】
2007110321.tif 000004
【図３】
2007110321.tif 000005
【図４】
2007110321.tif 000006
【図５】
2007110321.tif 000007
【図６】
2007110321.tif 000008
【図７】
2007110321.tif 000009